(57)【要約】【課題】  四方向の吹き出し口から吹き出される空調風の当たり具合や到達距離等まで個別に調節可能とし、より快適な空調環境を創造することができる天井設置型空気調和機を提供することを目的とする。【解決手段】  パネル１１の四方向に吹き出し口２１が設けられ、該吹き出し口２１にそれぞれ風向調整ルーバ２６が配設されている天井設置型空気調和機１において、各風向調整ルーバ２６のスイング範囲の上限位置および下限位置が、風向調整ルーバ２６毎に個別に設定可能とされていることを特徴とする。【選択図】      図３
2009198066.tif 000002
【特許請求の範囲】
【請求項１】
パネルの四方向に吹き出し口が設けられ、該吹き出し口にそれぞれ風向調整ルーバが配設されている天井設置型空気調和機において、
前記各風向調整ルーバのスイング範囲の上限位置および下限位置が、前記風向調整ルーバ毎に個別に設定可能とされていることを特徴とする天井設置型空気調和機。
【請求項２】
前記風向調整ルーバのスイング範囲を設定する時、設定したい前記風向調整ルーバが選択されると、当該風向調整ルーバが少なくとも１度スイング動作されることを特徴とする請求項１に記載の天井設置型空気調和機。
【請求項３】
前記風向調整ルーバのスイング範囲が設定されたとき、当該風向調整ルーバが少なくとも１度スイング動作されることを特徴とする請求項１または２に記載の天井設置型空気調和機。
【請求項４】
前記風向調整ルーバは、設定された前記スイング範囲内で停止可能であり、その停止位置は前記スイング範囲の上限位置および下限位置とその間を等分割して設定される複数の位置から選択可能とされていることを特徴とする請求項１ないし３のいずれかに記載の天井設置型空気調和機。
【請求項５】
前記空気調和機が壁近傍に設置されたとき、壁側の前記吹き出し口に連なっている風路に遮風材を設け、当該吹き出し口を遮風可能としたことを特徴とする請求項１ないし４のいずれかに記載の天井設置型空気調和機。
【請求項６】
前記壁側の吹き出し口と対向する位置にある前記吹き出し口に連なる風路に風路絞り部材を設け、当該吹き出し口からの吹き出し風の風速を上昇させることを特徴とする請求項５に記載の天井設置型空気調和機。
【発明の詳細な説明】
【技術分野】
【０００１】
本発明は、パネルの四方向に吹き出し口が設けられ、該吹き出し口にそれぞれ風向調整ルーバが配設されている天井設置型空気調和機に関するものである。
【背景技術】
【０００２】
ビルのフロアや店舗のフロアの天井等に設置され、そのフロア内の空調に用いられる天井設置型の空気調和機において、四方形をなすパネルの四方向に吹き出し口を設け、四方向に空調風を吹き出し可能とするとともに、各吹き出し口にそれぞれ風向調整ルーバを配設し、四方向の吹き出し口から吹き出される空調風の風向を個別に調節できるようにした天井設置型空気調和機が従来から知られている。
【０００３】
上記のような天井設置型空気調和機として、リモートコントローラに設けられている複数のスイッチを操作し、複数台設置されている空気調和機の中から任意のユニットをスイッチで選択した後、該ユニットの四方向の吹き出し口の何れかをスイッチで選択し、その吹き出し口に設けられている風向調整ルーバの角度を任意の設定角度にスイッチによって設定し、更にそのスイングの有無をスイッチで決定することにより、四方向の吹き出し口すべての風向および風向調整ルーバのスイングの有無を遠隔操作できるように構成した天井設置型空気調和機が特許文献１により提案されている。
【０００４】
【特許文献１】特許第３１０８１６３号公報
【発明の開示】
【発明が解決しようとする課題】
【０００５】
ところで、上記の天井設置型空気調和機では、四方向の吹き出し口から吹き出される空調風の風向および風向調整ルーバのスイングの有無を個別に調整することができる。しかしながら、このものは、各風向調整ルーバのスイング範囲まで個別に設定できるものではない。従って、１台の天井設置型空気調和機の周りにいる個々人が、それぞれの好みに合わせて風向調整ルーバのスイング範囲を個別に設定し、吹き出し風の当たり具合や到達距離等まで細かく調節して快適に空調環境を創造することはできなかった。
【０００６】
本発明は、このような事情に鑑みてなされたものであって、四方向の吹き出し口から吹き出される空調風の当たり具合や到達距離等まで個別に調節可能とし、より快適な空調環境を創造することができる天井設置型空気調和機を提供することを目的とする。
【課題を解決するための手段】
【０００７】
上記課題を解決するために、本発明の天井設置型空気調和機は以下の手段を採用する。
すなわち、本発明にかかる天井設置型空気調和機は、パネルの四方向に吹き出し口が設けられ、該吹き出し口にそれぞれ風向調整ルーバが配設されている天井設置型空気調和機において、前記各風向調整ルーバのスイング範囲の上限位置および下限位置が、前記風向調整ルーバ毎に個別に設定可能とされていることを特徴とする。
【０００８】
本発明によれば、四方向の吹き出し口に設けられる各風向調整ルーバのスイング範囲の上限位置および下限位置が、風向調整ルーバ毎に個別に設定可能とされているため、四方向の吹き出し口から吹き出される吹き出し風の当たり具合や到達距離等を吹き出し口毎に個別に調節することができる。従って、１台の空気調和機の周りにいる個々人がそれぞれの好みに合わせて風向調整ルーバのスイング範囲を個別に設定し、より快適な空調環境を得ることが可能となる。
【０００９】
さらに、本発明の天井設置型空気調和機は、上記の天井設置型空気調和機において、前記風向調整ルーバのスイング範囲を設定する時、設定したい前記風向調整ルーバが選択されると、当該風向調整ルーバが少なくとも１度スイング動作されることを特徴とする。
【００１０】
本発明によれば、風向調整ルーバのスイング範囲を設定する時、設定したい風向調整ルーバが選択されると、当該風向調整ルーバが少なくとも１度スイング動作されるため、スイング範囲を設定しようとしている風向調整ルーバが四方向のどの位置にあるルーバなのかを目視で確認した後、そのルーバのスイング範囲を設定することができる。従って、誤設定を防止することができる。
【００１１】
さらに、本発明の天井設置型空気調和機は、上述のいずれかの天井設置型空気調和機において、前記風向調整ルーバのスイング範囲が設定されたとき、当該風向調整ルーバが少なくとも１度スイング動作されることを特徴とする。
【００１２】
本発明によれば、風向調整ルーバのスイング範囲が設定されたとき、当該風向調整ルーバが少なくとも１度スイング動作されるため、スイング範囲が設定された風向調整ルーバの位置やスイング範囲を目視で確認することができる。従って、誤設定を確実に防止することができる。
【００１３】
さらに、本発明の天井設置型空気調和機は、上述のいずれかの天井設置型空気調和機において、前記風向調整ルーバは、設定された前記スイング範囲内で停止可能であり、その停止位置は前記スイング範囲の上限位置および下限位置とその間を等分割して設定される複数の位置から選択可能とされていることを特徴とする。
【００１４】
本発明によれば、風向調整ルーバは、設定されたスイング範囲内で停止可能であり、その停止位置をスイング範囲の上限位置および下限位置とその間を等分割して設定される複数の位置から選択可能としているため、設定されたスイング範囲内で風向調整ルーバを停止してルーバ位置を固定するとき、スイング範囲の上限位置および下限位置とその間を等分割して設定される複数の位置の何れかの位置に固定することができる。これにより、風向調整ルーバのスイング範囲を如何なる範囲とした場合でも、常に、その範囲を等分割した複数位置の何れかの位置で風向調整ルーバを停止することが可能となる。従って、運転状態に応じた推奨位置での固定を容易化することができる。
【００１５】
さらに、本発明の天井設置型空気調和機は、上述のいずれかの天井設置型空気調和機において、前記空気調和機が壁近傍に設置されたとき、壁側の前記吹き出し口に連なっている風路に遮風材を設け、当該吹き出し口を遮風可能としたことを特徴とする。
【００１６】
本発明によれば、空気調和機が壁近傍に設置されたとき、壁側の吹き出し口に連なっている風路に遮風材を設け、当該吹き出し口を遮風可能としているため、壁側の吹き出し口からの吹き出し風を止めることができるとともに、風向調整ルーバを閉鎖位置として壁側の吹き出し口を閉じることができる。従って、壁側の吹き出し口以外の吹き出し口からの吹き出し風量を増大し、壁から離間したエリアの空調効果を高めることができる。
【００１７】
さらに、本発明の天井設置型空気調和機は、上記の天井設置型空気調和機において、前記壁側の吹き出し口と対向する位置にある前記吹き出し口に連なる風路に風路絞り部材を設け、当該吹き出し口からの吹き出し風の風速を上昇させることを特徴とする。
【００１８】
本発明によれば、遮風材により遮風された壁側の吹き出し口と対向する位置にある吹き出し口に連なる風路に風路絞り部材を設け、当該吹き出し口からの吹き出し風の風速を上昇させるようにしているため、壁からの離間方向に対して、より遠方まで吹き出し風を到達させることが可能となる。従って、壁際の吹き出し口を遮風した分、壁から離間する方向における空調エリアを拡大することができる。
【発明の効果】
【００１９】
本発明によると、四方向の吹き出し口から吹き出される吹き出し風の当たり具合や到達距離等を吹き出し口毎に個別に調節することができるため、１台の空気調和機の周りにいる個々人がそれぞれの好みに合わせて風向調整ルーバのスイング範囲を個別に設定し、より快適な空調環境を創造することが可能となる。
【発明を実施するための最良の形態】
【００２０】
以下に、本発明にかかる実施形態について、図面を参照して説明する。
［第１実施形態］
以下、本発明の第１実施形態について、図１ないし図６を用いて説明する。
図１には、本実施形態に係る室外ユニットを含む天井設置型空気調和機の斜視図が示され、図２には、その天井設置型空気調和機をパネル側から見た正面図、図３には、天井設置型空気調和機の縦断面図が示されている。ここでは、室外ユニット２に対して天井設置型空気調和機１が１台接続された例が示されているが、天井設置型空気調和機１は、室外ユニット２に対して複数台並列に接続されたマルチタイプとしてもよい。
【００２１】
天井設置型空気調和機１は、室内の天井等に設置され、冷媒配管３および電気配線４を介して屋外の適所に設置された室外ユニット２に接続されて使用されるものである。室外ユニット２には、冷媒圧縮機５、図示省略の四方切換弁、室外空気熱交換器６、室外ファン７、室外コントローラ８等の機器が配設されている。この室外ユニット２は、天井設置型空気調和機１に設けられる後述の室内熱交換器１９と共に冷凍サイクルを構成し、天井設置型空気調和機１に供給する冷媒の調整機能を担うものである。
【００２２】
天井設置型空気調和機１は、下部が開放されている四方形状のキャビネット１０と、このキャビネット１０の下部に装着される四方形状のパネル１１とを備えている。キャビネット１０内の下方部には、空気吸い込み口１２と、その周りに設けられるベルマウス１３が一体に形成されるとともに、風路１５の一部を形成するドレンパン１５が設置されている。また、キャビネット１０の天板中央部には、モータ１７により回転駆動されるターボファンからなる室内ファン１８が設置され、この室内ファン１８を取り囲むように四角形状に曲げ形成された構成の室内熱交換器１９が図示省略のブラケットを介して天板に固定設置されている。
【００２３】
これによって、キャビネット１０内には、空気吸い込み口１２からベルマウス１３を介して室内ファン１８に室内空気を導き、室内ファン１８により昇圧されて放射状方向に吹き出される空気を、その周りに配設されている室内熱交換器１９を通してキャビネット１０の内面とドレンパン１４の外周面とで形成される風路１５へと流通させる空気流通路２０が構成されている。
【００２４】
一方、四方形状のパネル１１には、その四辺に四方向に空調風を吹き出す長方形状の空気吹き出し口２１が風路１５に連通して設けられるとともに、中央部に室内空気を吸い込むための開口２２が設けられている。この開口２２には、エアフィルタ２３が設置された吸い込みグリル２４が、図１に示されるように、ワイヤ２５等を介して昇降自在に装着されている。また、各空気吹き出し口２１には、該空気吹き出し口２１から吹き出される空調風の風向を調整するための風向調整ルーバ２６が、それぞれステッピングモータ（図示省略）によって個別にスイング可能に設置されている。
【００２５】
図４には、天井設置型空気調和機１を操作するワイヤード方式のリモートコントローラ３０が示されている。リモートコントローラ３０には、タイマスイッチ３１、グリル昇降スイッチ３２、選択スイッチ３３、セットスイッチ３４、リセットスイッチ３５、風量調整スイッチ３６、風向調整スイッチ３７、運転切換スイッチ３８、換気スイッチ３９、運転／停止スイッチ４０等の各種運転操作スイッチが設けられている。ここでは、風向調整ルーバ２６の動作範囲を設定する際に使われる選択スイッチ３３、セットスイッチ３４および風向調整スイッチ３７の機能について、以下に詳しく説明する。
【００２６】
風向調整ルーバ２６は、図５に示されているように、水平方向位置（１）から下向き位置（６）までの６段階でスイング範囲が任意に設定可能とされている。つまり、スイング範囲は、風向調整ルーバ２６のスイング上限位置とスイング下限位置とを別々に設定することにより、任意の範囲で設定できるようにされている。このスイング範囲の設定を行うには、まず、天井設置型空気調和機１を停止した状態でセットスイッチ３４および風向調整スイッチ３７を同時に押し、風向設定モードに切り換える。天井設置型空気調和機１が複数台設置されている場合には、「データ確認中」の表示が「室内機選択▲▼」と変わるので、続いて選択スイッチ３３の▲または▼を押し、風向設定する室内機（天井設置型空気調和機１）を選択する。この選択スイッチ３３を押すと「内０００」、「内００１」のように順次表示が変わるので、風向設定したい室内機の番号が表示されたら、セットスイッチ３４を押して選択した室内機を確定する。
【００２７】
風向設定する室内機（天井設置型空気調和機１）が決定したら、画面表示が「データ確認中」、「ルーバＮｏ．１▲」と順次変わるので、選択スイッチ３３の▲または▼を押して風向設定したい風向調整ルーバ２６のＮｏを、ルーバＮｏ．１ないしルーバＮｏ．４の中から選択する。なお、天井設置型空気調和機１が１台しか設置されていない場合は、最初にセットスイッチ３４と風向調整スイッチ３７を同時に押した段階で、「データ確認中」の表示が「ルーバＮｏ．１▲」と変わるので、選択スイッチ３３により上記の通り風向設定したい風向調整ルーバ２６のルーバＮｏを選択することができ、ルーバＮｏ（例えば、ルーバＮｏ．１）を選択したら、セットスイッチ３４を押して選択したルーバＮｏ．１を決定すればよい。
【００２８】
ルーバＮｏが決定されると、画面表示が、例えば「Ｎｏ．１上位置２▲▼」と現在の上限位置が表示されるので、選択スイッチ３３の▲または▼を押し、水平方向位置（１）から下向き位置（６）までの６段階の中から希望する上限位置を選択する。希望の上限位置を選択後、セットスイッチ３４を押すことにより上限位置を確定することができる。これにより、画面表示が「データ確認中」、「Ｎｏ．１下位置５▲▼」（現在の下限位置）と順次変わるので、選択スイッチ３３の▲または▼を押し、上記と同様にして希望する下限位置を選択し、確定する。
【００２９】
上記によって、ルーバＮｏ．１のスイング範囲の上限位置および下限位置が確定されると、例えば「Ｎｏ．１上２下６」等ように確定内容が表示され、その後、「設定完了」、「ルーバＮｏ．１▲」（選択したルーバＮｏ）と順次表示が変わって設定完了する。また、設定が完了後に、設定したルーバＮｏの風向調整ルーバ２６が、停止位置から下限位置まで移動し、その後停止位置に戻る動作を行い、設定されたルーバＮｏ位置や動作範囲が目視により確認できるようになっている。引き続いて、スイング範囲を設定したい風向調整ルーバ２６があれば、上記に準じてルーバＮｏ．２ないしルーバＮｏ．４のスイング範囲を設定する。風向設定が完了後、運転／停止スイッチ４０を押すことにより、風向設定モードは終了され、画面表示も元の表示に戻される。
【００３０】
以上により、４方向の吹き出し口２１に設けられている各風向調整ルーバ２６のスイング範囲の上限位置および下限位置を、それぞれ（１）〜（６）の６段階中から別々の位置に設定し、スイング範囲を個別に設定できるようにしている。なお、上限位置と下限位置を同じ位置に設定すると、風向調整ルーバ２６は、その位置に固定され、オートスイングとしても動かないようになる。
【００３１】
また、風向調整ルーバ２６は、上記により設定されたスイング範囲でオートスイングされるだけではなく、設定された位置で風向調整ルーバ２６を停止し、ルーバ位置を固定できるように構成されている。かかる風向調整ルーバ２６の切り換えは、風向調整スイッチ３７の操作によって行われる。風向調整スイッチ３７を１回押すと、図６に示されるような画面が表示されるので、風向調整ルーバ２６をオートスイングさせるには、風向調整スイッチ３７をもう１回押して表示を「スイング」にすればよく、これよって風向調整ルーバ２６は、設定された範囲でオートスイングされる。
【００３２】
一方、風向調整ルーバ２６を固定するには、風向調整ルーバ２６がスイングしているときに、風向調整スイッチ３７を１回押す。これによって４箇所の停止位置「停止１」ないし「停止４」が１秒間ずつ順に「選択１」、「選択２」、「選択３」、「選択４」と表示されるので、希望する位置にきたとき、風向調整スイッチ３７を更に１回押すことにより、表示が「停止」に変わり、ルーバ位置が固定される。なお、ルーバ位置の固定は、運転モードによって快適な空調を行うための推奨位置があり、冷房および除湿モードの場合は、停止１または停止２の位置、暖房モードの場合は、停止３または停止４の位置がそれぞれ推奨位置とされている。
【００３３】
また、上記した４箇所のルーバ固定位置は、風向調整ルーバ２６の水平方向位置（１）から下向き位置（６）までの６段階の範囲で、それぞれ個別に設定される各風向調整ルーバ２６のスイング範囲の上限位置が停止１、下限位置が停止４の位置とされ、その間を複数に等分割（本実施形態の場合、３分割）した位置が自動的に他の停止２、停止３の位置と決定される構成とされており、スイング範囲が異なっても、あるいは変更されても同様に停止位置が設定され、その何れかの停止位置から固定位置が選択されるように構成されている。
【００３４】
以上に説明の構成により、本実施形態によれば、以下の作用効果を奏する。
上記の天井設置型空気調和機１では、室外ユニット２側で調整された冷媒が天井設置型空気調和機１の室内熱交換器１９に供給される。この冷媒と、室内ファン１８が回転駆動されることにより吸い込みグリル２４、エアフィルタ２３、吸い込み口１２、ベルマウス１３を介して吸い込まれた室内空気とが室内熱交換器１９で熱交換され、室内空気が加熱または冷却される。そして、温調された空気が風路１５、パネル１１の４方向に設けられている吹き出し口２１を経て室内に吹き出されることにより、室内の暖房、冷房あるいは除湿が行われる。
【００３５】
この空調運転の間、天井設置型空気調和機１で温調された空気は、吹き出し口２１を経て室内に吹き出される際、風向が吹き出し口２１に設けられている風向調整ルーバ２６によりユーザの好みに合わせて調整される。風向の調整は、２つの方法に分けられ、その１つは、風向調整ルーバ２６を設定された範囲でスイングさせて広範囲に直接空調風を吹き出す方法であり、他の１つは、風向調整ルーバ２６を選択されたルーバ固定位置に停止して特定の方向に向け空調風を吹き出す方法である。
【００３６】
本実施形態では、前者の場合でも、単に風向調整ルーバ２６をスイングされるだけでなく、各風向調整ルーバ２６のスイング範囲の上限位置および下限位置をそれぞれ個別に設定し、４方向の吹き出し口２１毎に異なるスイング範囲で各風向調整ルーバ２６をスイングさせ、風向を個別に調整することができる。例えば、冷房運転時、図２に示すＮｏ．１吹き出し口２１に設けられている風向調整ルーバ２６のスイング範囲を、図５に示される（１）を上限位置、（４）を下限位置に設定して（１）〜（４）間をスイング範囲に設定する一方で、対向する位置のＮｏ．３吹き出し口２１に設けられている風向調整ルーバ２６のスイング範囲を、（２）を上限位置、（５）を下限位置に設定し、（２）〜（５）間をスイング範囲として多少下向きにスイングさせると云うように個別にスイング範囲を設定することができる。
【００３７】
これによって、同じ部屋の中であっても四方向の吹き出し口２１から吹き出される吹き出し風の当たり具合や吹き出し風の到達距離等を吹き出し口２１毎に個別に調節することが可能となる。このため、１台の天井設置型空気調和機１の周りにいる個々人がそれぞれの好みに合わせて風向調整ルーバ２６のスイング範囲を個別に設定し、より快適な空調環境を創造することができる。
また、風向調整ルーバ２６のスイング範囲を個別に設定する際、それぞれの風向調整ルーバ２６の設定が完了後に、当該風向調整ルーバ２６を１度スイング動作させるようにしているため、スイング範囲が設定された風向調整ルーバ２６の位置やスイング範囲等を目視により確認することができる。これによって、誤設定を防止することができる。
【００３８】
さらに、風向調整ルーバ２６を選択されたルーバ固定位置に停止して空調風を吹き出す場合、設定されているスイング範囲を等分割して設定される停止１ないし停止４の４箇所の停止位置の何れかで選択的に風向調整ルーバ２６が停止され、その方向に向けて空調風を吹き出すように風向が調整される。この場合、風向調整ルーバ２６のスイング範囲が如何なる範囲に設定されていても、常に、その範囲を等分割した複数位置の何れかの位置に風向調整ルーバ２６が停止されることになる。このため、運転状態に応じた推奨位置での停止を容易化することが可能となる。
【００３９】
また、本実施形態は、以下のような変形例とすることも可能である。
上記では風向調整ルーバ２６のスイング範囲の設定確認を設定完了後に、当該風向調整ルーバ２６をスイング動作させて確認するようにしているが、スイング範囲の設定過程において、選択スイッチ３３を用いて風向設定したい風向調整ルーバ２６のルーバＮｏを選択した後、セットスイッチ３４を押し選択したルーバＮｏ．１を決定した時、当該風向調整ルーバ２６を１度スイング動作させ、設定しようとしている風向調整ルーバ２６の位置を目視で確認できるようにする。このようにすることによって、より確実に誤設定を防止できるようになる。
【００４０】
［第２実施形態］
次に、本発明の第２実施形態について、図７を用いて説明する。
本実施形態は、上記した第１実施形態に対して、特定の風路１５に遮風材５０を設けている点が異なる。その他の点については第１実施形態と同様であるので説明は省略する。
本実施形態では、天井設置型空気調和機１が壁際あるいは壁近傍に設置された場合、壁側の吹き出し口２１に連通されている風路１５に遮風材５０を設け、壁側の吹き出し口２１を遮風して当該吹き出し口２１からの空調風の吹き出しを止めるようにしている。この場合、風向調整ルーバ２６を、吹き出し口２１を閉鎖する位置に回動させ、風向調整ルーバ２６により吹き出し口２１を閉じるようにしてもよい。なお、遮風材５０としては、発泡ウレタン等を用いることができる。
【００４１】
上記したように、天井設置型空気調和機１が壁際あるいは壁近傍に設置された場合、壁側の吹き出し口２１を遮風材５０により遮風し、壁側の吹き出し口２１からの吹き出し風を止めることによって、壁側の吹き出し口２１以外の吹き出し口２１からの吹き出し風量を増大し、壁から離間したエリアの空調効果を高めることができる。また、使用していない壁側の吹き出し口２１を風向調整ルーバ２６によって閉鎖することができるため、キャビネット１０内部への異物や塵埃の侵入を防止することができる。
【００４２】
［第３実施形態］
次に、本発明の第３実施形態について、図８を用いて説明する。
本実施形態は、上記した第１および第２実施形態に対して、特定の風路１５に風路絞り部材５５を設けている点が異なる。その他の点については第１および第２実施形態と同様であるので説明は省略する。
本実施形態では、上記第２実施形態において、遮風材５０を設けて遮風された壁側の吹き出し口２１と対向する位置にある吹き出し口２１に連なる風路１５に風路絞り部材５５を設け、当該吹き出し口２１から吹き出される吹き出し風の風速を上昇させるようにしている。なお、風路絞り部材５５としては、遮風材５０と同様、発泡ウレタン等を用いることができる。
【００４３】
上記のように、遮風された壁側の吹き出し口２１と対向する位置にある吹き出し口２１に連なる風路１５に風路絞り部材５５を設け、当該吹き出し口２１から吹き出される吹き出し風の風速を上昇させることにより、壁から離間した方向に対して、より遠方まで吹き出し風を到達させることが可能となるため、壁際の吹き出し口２１を遮風した分、壁から離間した方向における空調エリアを拡大することができる。
【００４４】
なお、本発明は、上記実施形態にかかる発明に限定されるものではなく、その要旨を逸脱しない範囲において、適宜変形が可能である。例えば、上記実施形態では、風向調整ルーバ２６のスイング範囲の設定方法について詳しく説明したが、本発明は、４方向の吹き出し口に設けられる風向調整ルーバ２６のスイング範囲の上限位置および下限位置を個別に設定可能としていることを特定事項とするものであり、スイング範囲の具体的設定方法は如何なる方法であってもよく、上記実施形態に限定されるものではない。さらに、風向調整ルーバ２６のスイング範囲を６段階、その固定位置を４箇所とした例について説明したが、これらの段階数等も一例にすぎず、かかる実施形態に限定されるものでないことはもちろんである。
【図面の簡単な説明】
【００４５】
【図１】本発明の第１実施形態に係る室外ユニットを含む天井設置型空気調和機の斜視図である。
【図２】図１に示す天井設置型空気調和機をパネル側から見た正面図である。
【図３】図１に示す天井設置型空気調和機の縦断面図である。
【図４】図１に示す天井設置型空気調和機を操作するリモートコントローラの正面図である。
【図５】図１に示す天井設置型空気調和機の風向調整ルーバの動作範囲と位置の表示図である。
【図６】図１に示す天井設置型空気調和機の風向調整ルーバの動作切換状態の画面表示図である。
【図７】本発明の第２実施形態に係る天井設置型空気調和機の要部のみの縦断面図である。
【図８】本発明の第３実施形態に係る天井設置型空気調和機の要部のみの縦断面図である。
【符号の説明】
【００４６】
１  天井設置型空気調和機
１１  パネル
１５  風路
２１  吹き出し口
２６  風向調整ルーバ
５０  遮風材
５５  風路絞り部材
【図１】
2009198066.tif 000003
【図２】
2009198066.tif 000004
【図３】
2009198066.tif 000005
【図４】
2009198066.tif 000006
【図５】
2009198066.tif 000007
【図６】
2009198066.tif 000008
【図７】
2009198066.tif 000009
【図８】
2009198066.tif 000010